(57)【要約】【課題】本考案は、近時の武力行使を行う国際緊張下において、我が国、我が国民、我が国民の財産を安全に保護するという国益に寄与し、命中精度の向上を高度の科学技術を駆使することなく、簡単な構成で経費負担も少なくして達成できるようにした迎撃ミサイルを提供することを目的とする。【解決手段】推進装置と誘導装置を備えた迎撃ミサイルの本体内に、進行方向と直交する方向に突出自在となる金属製延伸ロッドを複数本埋設し、この金属製延伸ロッドが本体外に突出した後に、この金属製延伸ロッドを本体を回転中心として高速回転させることができる回転装置を内蔵したことを特徴とする迎撃ミサイルである。【選択図】図３
0003162810.tif 000002
【実用新案登録請求の範囲】
【請求項１】
推進装置と誘導装置を備えた迎撃ミサイルの本体内に、進行方向と直交する方向に突出自在となる金属製延伸ロッドを複数本埋設し、この金属製延伸ロッドが本体外に突出した後に、この金属製延伸ロッドを本体を回転中心として高速回転させることができる回転装置を内蔵したことを特徴とする迎撃ミサイル。
【請求項２】
金属製延伸ロッドは、複数の入れ子式筒状体を積層した構造からなることを特徴とする請求項１記載の迎撃ミサイル。
【考案の詳細な説明】
【技術分野】
【０００１】
本考案は迎撃ミサイルに係り、さらに詳しくは、敵の攻撃ミサイルを宇宙空間（大気圏外・通常は高度８０Ｋｍ以上を指す）で破壊・撃墜する迎撃ミサイルに関する。
【背景技術】
【０００２】
従来、陸上、艦船、戦闘機などから発射し、敵の攻撃ミサイルを迎撃するために各種タイプの迎撃ミサイルが開発されている。
この迎撃ミサイルは、推進装置と誘導装置を持ち、宇宙空間で自らを敵の攻撃ミサイルに直接命中させて、迎撃ミサイル及び攻撃ミサイルに積載されている爆薬やロケット燃料等を爆発させることで敵の攻撃ミサイルを破壊・撃墜することを目的としている。
【先行技術文献】
【特許文献】
【０００３】
【特許文献１】特開２００５−９０９３２号公報
【考案の概要】
【考案が解決しようとする課題】
【０００４】
このような迎撃ミサイルには、敵の弾道ミサイル型の攻撃ミサイルを発見して捕捉するために必要な検知レーダー・ソナー等からなる誘導装置が搭載されているが、如何に高性能の誘導装置であっても、超高速で飛翔する攻撃ミサイルに迎撃ミサイルを直接命中させることは、目標物である攻撃ミサイルの大きさと速度、迎え撃つ側の迎撃ミサイルの大きさと速度の相対関係より、大変困難なことである。このことは、相手の発射したピストルの弾に、こちらが発射したピストルの弾を当てることに等しいと説明されるほどである。
【０００５】
このため、発射された迎撃ミサイルが確実に敵の攻撃ミサイルを捕捉して、破壊・撃墜するための研究が懸命になされてきたが、いまだその効果を達成できるものが開発されていないという現実があった。
【０００６】
例えば特許文献１に示す迎撃ミサイルは、敵の弾道ミサイルの飛行コースの前方に打ち上げられ、捕捉爆破用防御網を開傘した状態で待機させるものであるが、この防御網は全体がネット状を呈するもので、全体を大きく広げた状態に維持することが困難であり、これを迎撃ミサイルに搭載したり、宇宙空間で正確に開傘することに無理があるという問題があった。
本考案は、上記の問題を解決して、敵の攻撃ミサイルを確実に破壊・撃墜できる迎撃ミサイルを提供せんとするものである。
【課題を解決するための手段】
【０００７】
前記課題を解決するために、請求項１に記載の考案は、推進装置と誘導装置を備えた迎撃ミサイルの本体内に、進行方向と直交する方向に突出自在となる金属製延伸ロッドを複数本埋設し、この金属製延伸ロッドが本体外に突出した後に、この金属製延伸ロッドを本体を回転中心として高速回転させることができる回転装置を内蔵したことを特徴とする迎撃ミサイルである。
【０００８】
請求項２に記載の考案は、金属製延伸ロッドは、複数の入れ子式筒状体を積層した構造からなることを特徴とする請求項１記載の迎撃ミサイルである。
【考案の効果】
【０００９】
上記した請求項１に係る迎撃ミサイルは、大気圏内を飛行中は本体内に金属製延伸ロッドを埋設しておき、大気圏外で敵の攻撃ミサイルの飛行コースに接近した段階で金属製延伸ロッドを突出させ、突出後は回転装置で金属製延伸ロッドを高速回転させることで、突出した金属製延伸ロッドによる広面積の捕捉面が確保され、確実に敵の攻撃ミサイルの破壊・撃墜効果が達成できるという優れた効果を発揮する。
【００１０】
また請求項２は、金属製延伸ロッドを複数の入れ子式筒状体を積層した構造からなるようにしておくことで、自動車用伸縮アンテナ（タケノコ形状の入れ子式ロッドアンテナ）の如く、簡単に伸張して本体外部に突出させることができるため、金属製延伸ロッドの構造が簡単であるにもかかわらず、強度が保持され、かつ確実な突出操作が行えるという効果を達成できる。
【図面の簡単な説明】
【００１１】
【図１】本考案に係る迎撃ミサイルで、金属製延伸ロッドを突出させる前の飛行状態を示す斜視図である。
【図２】本考案に係る迎撃ミサイルで、金属製延伸ロッドを突出させた後の飛行状態を示す正面図である。
【図３】本考案に係る迎撃ミサイルで、金属製延伸ロッドを突出させた後の飛行状態を示す斜視図である。
【考案を実施するための形態】
【００１２】
以下添付図面に基づいて、本考案に係る迎撃ミサイルの一実施の形態を詳説するが、本考案はこれらの実施の形態に制限されるものではない。
【００１３】
図１に示す迎撃ミサイル１には、その本体２内に金属製延伸ロッド３が複数本（図２では４本）埋設されており、この金属製延伸ロッド３は迎撃ミサイル１が大気圏外に達した時点で進行方向と直交する方向に延伸させられる。この金属製延伸ロッド３の延伸のタイミングは、検知レーダーや地上などからの指令によりタイミング良く行われる
【００１４】
このように延伸された金属製延伸ロッド３は、回転モーターなどで構成される回転装置４により、本体２を回転中心として高速回転（例えば、５０〜１０００ＲＰＭ程度）させられることになり、その結果、迎撃ミサイル１の金属製延伸ロッド３はプロペラのように回転しながら、敵の攻撃ミサイル５に向かって飛行する。
【００１５】
迎撃ミサイル１の先端付近には誘導装置６、後端付近には推進装置７が備えられており、後端付近には姿勢制御用の翼８が必要に応じて備えられる。
【００１６】
本考案の迎撃ミサイル１は上記の構成にかかるため、迎撃ミサイル１の大きさの数倍の進行方向表面積が確保されることになり、敵の攻撃ミサイル５を捕捉する環境は飛躍的に向上し、攻撃ミサイル５の一部が迎撃ミサイル１の本体２はもとより、金属製延伸ロッド３と接触するだけで、攻撃ミサイル５は確実に破壊・撃墜されることになる。金属製延伸ロッド３には、必要に応じて高圧電流を流しておき、攻撃ミサイル５との衝突時に確実な爆破を行う工夫を施しておくようにしても良い。
【００１７】
また金属製延伸ロッド３を、複数の入れ子式筒状体を積層した構造とすることで、金属製延伸ロッド３の構造が簡単であるにもかかわらず、その強度が保持され、かつ確実で円滑な突出操作が行えるという効果を達成できる。
【産業上の利用可能性】
【００１８】
本考案の迎撃ミサイルは、近時の武力行使を行う国際緊張下において、我が国、我が国民、我が国民の財産を安全に保護するという国益に寄与するものであり、命中精度の向上を高度の科学技術を駆使することなく、簡単な構成で経費負担も少なくして達成できるため、その利用範囲は大変広いものとなる。
【符号の説明】
【００１９】
１ …迎撃ミサイル
２ …本体
３ …金属製延伸ロッド
４ …回転装置
５ …敵の攻撃ミサイル
６ …誘導装置
７ …推進装置
８ …翼
【図１】
0003162810.tif 000003
【図２】
0003162810.tif 000004
【図３】
0003162810.tif 000005